(57)【要約】【課題】帯域外チャンネル（Out of Band）を用いて移動放送サービス加入者を管理する移動放送サービス加入者管理システム及びその方法を提供することにある。【解決手段】ＤＭＢ（Digital Multimedia Broadcasting）において、ＯＯＢ（OutOf Band）チャンネルを利用する加入者管理システム及び方法が開示されている。本発明のシステムは、加入者情報の変動のためのメッセージをＯＯＢを通して端末に提供し、メッセージ伝送の結果を受信する。メッセージ伝送結果は、伝送/変動の成功、変動の失敗及び伝送エラーを含む。従って、システムは、加入者情報が変動されるや否や、加入者情報の変動を端末に適用できる。【選択図】  図２
2008517517.tif 000002
【特許請求の範囲】
【請求項１】
移動放送サービスの加入者情報を管理する顧客管理装置；
上記加入者情報の変動に伴って上記移動放送の視聴資格及び視聴等級と関連したメッセージを発生する受信制限装置；
上記メッセージを伝送する移動通信網を選択するＭＳ（Mobile Station）サーバー；
上記メッセージを移動通信網を通して伝送可能なデータ形式に加工し、上記ＭＳサーバーにて選択された移動通信網を通して伝送する移動通信サーバー；及び、
上記メッセージを解析し、その解析結果に伴う視聴資格及び視聴等級に基づき、放送網を通して伝送される放送信号を画面に表示する受信端末機；を含むことを特徴とする移動放送サービス加入者管理システム。
【請求項２】
上記顧客管理装置は、
上記加入者情報を通して上記受信端末機の種類及び能力（Capability）を判断する判断手段を含むことを特徴とする請求項１に記載の移動放送サービス加入者管理システム。
【請求項３】
上記顧客管理装置は、
上記移動放送サービスの開通及び上記移動放送サービスの商品の変更の度に、上記受信端末機の移動通信サービス適用の有無を判断し、各々別のコマンドを上記受信制限装置に伝送することを特徴とする請求項１に記載の移動放送サービス加入者管理システム。
【請求項４】
上記移動通信サービス適用対象のコマンドは、
スマートカード情報、移動通信事業者区分情報及び上記受信端末機の電話番号を含むことを特徴とする請求項３に記載の移動放送サービス加入者管理システム。
【請求項５】
上記受信制限装置は、
上記加入者情報の変動に基づき、新規加入、サービス解約、一時停止、一時停止解除、サービス変更のうち少なくとも一つに該当するコマンドを、上記メッセージに含めるメッセージ発生手段を含むことを特徴とする請求項１に記載の移動放送サービス加入者管理システム。
【請求項６】
上記メッセージ発生手段は、
上記受信端末機の電話番号を上記メッセージに更に含めることを特徴とする請求項５に記載の移動放送サービス加入者管理システム。
【請求項７】
上記ＭＳサーバーは、
上記メッセージに含まれた加入者情報に基づき、該当移動通信網事業者を選択する選択手段；及び、
上記メッセージの伝送に対する成功、失敗及び誤謬情報をフィードバックされ、上記受信制限装置に伝送する管理手段；を含むことを特徴とする請求項１に記載の移動放送サービス加入者管理システム。
【請求項８】
上記受信端末機は、
上記メッセージに含まれた加入者情報を解析した後、上記加入者情報と一致する時にのみ放送信号を受信するスマートカードを含むことを特徴とする請求項１に記載の移動放送サービス加入者管理システム。
【請求項９】
上記スマートカードは、
上記受信端末機の放送受信状態がオフになっている場合は、上記移動放送受信状態をオンにして上記加入者変動メッセージを伝送した後、またオフにすることを特徴とする請求項８に記載の移動放送サービス加入者管理システム。
【請求項１０】
上記データ形式は、
ＯＴＡ（Over
The Air）、ＳＭＳ及びデータパケットのうち何れか一つの形式であることを特徴とする請求項１乃至９の何れかに記載の移動放送サービス加入者管理システム。
【請求項１１】
移動放送サービス加入者管理システムにおいて、
帯域内チャンネル（In Band；ＩＢ）を通して放送信号を伝送し、帯域外チャンネル（Out Of Band；ＯＯＢ）を通してメッセージを送信した後、これをフィードバックすることで加入者管理を行う放送センター；及び、
上記メッセージを解析し、その解析結果に伴う放送視聴資格及び放送視聴等級に基づき、上記帯域内チャンネルを通して伝送される放送信号を画面に表示する受信端末機；を含むことを特徴とする移動放送サービス加入者管理システム。
【請求項１２】
上記放送センターは、
加入者情報の変動に伴って上記移動放送の放送視聴資格及び放送視聴等級と関連したメッセージを発生する受信制限装置；及び、
上記メッセージを伝送する帯域外チャンネルを選択し、上記帯域外チャンネルを通して伝送可能なデータ形式に加工して伝送するＭＳ（Mobile Station）サーバー；を含むことを特徴とする請求項１１に記載の移動放送サービス加入者管理システム。
【請求項１３】
上記帯域外チャンネルは、
移動通信網であることを特徴とする請求項１１又は１２に記載の移動放送サービス加入者管理システム。
【請求項１４】
上記受信制限装置は、
新規加入、サービスの解約、一時停止、一時停止の解除、サービスの変更のうち少なくとも一つに該当するコマンドを上記メッセージに含めるメッセージ発生手段を含むことを特徴とする請求項１１又は１２に記載の移動放送サービス加入者管理システム。
【請求項１５】
上記ＭＳサーバーは、
上記メッセージに含まれた加入者情報に基づき該当帯域外チャンネルを選択する選択手段；及び、
上記メッセージ伝送に対する成功、失敗及び誤謬情報をフィードバックされ、上記受信制限装置に伝送する管理手段；を含むことを特徴とする請求項１１又は１２に記載の移動放送サービス加入者管理システム。
【請求項１６】
上記受信端末機は、
上記メッセージに含まれた加入者情報を解析した後、上記加入者情報と一致する時にのみ放送信号を受信するスマートカードを含むことを特徴とする請求項１１又は１２に記載の移動放送サービス加入者管理システム。
【請求項１７】
上記スマートカードは、
上記受信端末機の放送受信状態がオフになっている場合は、上記移動放送受信状態をオンにして上記加入者変動メッセージを伝送した後、またオフにすることを特徴とする請求項１６に記載の移動放送サービス加入者管理システム。
【請求項１８】
移動放送サービス加入者管理方法において、
（ａ）帯域外チャンネルを通して加入者情報の変動のためのメッセージを送出するステップ；及び、
（ｂ）上記帯域外チャンネルを通してメッセージ送出に対する成功、失敗及び誤謬情報をフィードバックされるステップ；を含むことを特徴とする移動放送サービス加入者管理方法。
【請求項１９】
上記帯域外チャンネルは、
移動通信網であることを特徴とする請求項１８に記載の移動放送サービス加入者管理方法。
【請求項２０】
上記加入者情報の変動は、
新規加入、サービス解約、一時停止、一時停止解除及びサービス変更のうちの何れか一つであることを特徴とする請求項１８又は１９に記載の移動放送サービス加入者管理方法。
【請求項２１】
移動放送サービス加入者管理方法において、
（ａ）顧客管理装置が、加入者情報の変動時に上記加入者情報の変動に該当するコマンドメッセージを受信制限装置に伝送するステップ；
（ｂ）上記受信制限装置が、上記コマンドメッセージに基づき加入者変動メッセージを発生し、ＭＳ（Mobile Station）サーバーに伝送するステップ；
（ｃ）上記ＭＳサーバーが、上記加入者変動メッセージを解析した後、上記加入者変動メッセージを該当移動通信事業者の移動通信サーバーに伝送するステップ；
（ｄ）上記移動通信サーバーが、上記加入者変動メッセージを、上記選択された移動通信網を通して伝送可能なデータ形式に加工して受信端末機に伝送するステップ；及び、
（ｅ）上記受信端末機が、上記加入者変動メッセージを解析（Parsing）し、上記加入者変動メッセージに含まれたスマートカード番号と上記受信端末機のスマートカード番号とが一致する時、該当加入者情報の変動に対応する動作を行った後、放送網を通して伝送される放送信号を受信し、画面に表示するステップ；を含むことを特徴とする移動放送サービス加入者管理方法。
【請求項２２】
上記ステップ（ａ）は、
（ａ１）上記顧客管理装置が、上記加入者情報の変動時に、該当加入者受信端末機の種類が移動通信サービス及び移動放送サービス兼用であるのかを判断するステップ；及び、
（ａ２）上記判断結果に従って、兼用か否か及び加入者情報の変動に該当するコマンドメッセージを上記受信制限装置に伝送するステップ；を含むことを特徴とする請求項２１に記載の移動放送サービス加入者管理方法。
【請求項２３】
上記コマンドメッセージは、
上記受信端末機の移動通信サービス適用可否、上記受信端末機の電話番号（ＭＤＮ）、スマートカードのシリアル番号を含むことを特徴とする請求項２１又は２２に記載の移動放送サービス加入者管理方法。
【請求項２４】
上記ステップ（ｂ）の加入者変動メッセージは、
暗号化されたバイナリ状態で伝送されることを特徴とする請求項２１又は２２に記載の移動放送サービス加入者管理方法。
【請求項２５】
上記ステップ（ｄ）の加入者変動メッセージは、
移動通信サービス及び移動放送サービスを区分する情報を含むことを特徴とする請求項２１又は２２に記載の移動放送サービス加入者管理方法。
【請求項２６】
上記ステップ（ｄ）は、
上記加入者変動メッセージを受信した受信端末機が、該当メッセージの受信有無を表す応答メッセージを上記移動通信サーバーに伝送するステップを含むことを特徴とする請求項２１又は２２に記載の移動放送サービス加入者管理方法。
【請求項２７】
上記ステップ（ｅ）は、
ＤＭＢモジュールがオフになっている場合には、上記ＤＭＢモジュールをオンにして上記加入者変動メッセージを伝送した後、またオフにすることを特徴とする請求項２１又は２２に記載の移動放送サービス加入者管理方法。
【発明の詳細な説明】
【技術分野】
【０００１】
本発明は、移動放送サービスシステム及びその方法に関するものであり、より詳しくは、移動放送の加入者管理を行うための移動放送サービス加入者管理システム及びその方法に関するものである。
【背景技術】
【０００２】
移動放送サービスは、加入者が屋外で又は移動中にも、受信アンテナ付きの個人携帯用又は車両用受信端末機を通してビデオ、オーディオ及びデータなどの多様なマルチメディア放送を多チャンネルで視聴又は聴取し得る放送サービスをいう。
【０００３】
上記サービスは、従来のアナログ放送の形態をデジタル化することによって、高品質ＣＤ水準の音質、多様なデータサービス、両方向性、優れた移動受信品質などを提供するようになり、既存の見聞きする放送概念を、見聞きして参加する放送に拡張させ、データ放送を通して音楽放送以外にもニュース、交通情報、気象情報、地理位置情報、動映像情報などのような多様なマルチメディア情報を、文字とグラフィックで伝送できるようになった。
【０００４】
一方、上述したような移動放送サービスは一般的に有料サービスであるので、加入者の受信制限のためにＣＡＳ（Conditional Access System）を適用する。このようなＣＡＳは、各受信端末機に内蔵されたスマートカードを通して視聴等級を設定することにより受信制限機能を行い、上記スマートカードの不法使用による移動放送の視聴を防止する保安機能を行う。
【０００５】
しかし、ＣＡＳから受信端末機に伝送されるメッセージ（以下、ＣＡＳメッセージ）を受信端末機が受信したか否かを確認することができず、また約３０分ごとに全ての加入者の受信端末機に上記ＣＡＳメッセージを送出するので、一度上記ＣＡＳメッセージの受信を逃すと、次のＣＡＳメッセージの伝送時まで待たなければならない不便さがあった。
【０００６】
以下、添付図面を参考にこれを詳しく説明する。
【０００７】
図１は、従来技術による移動放送サービス加入者管理システムを示す構成図である。
【０００８】
図１に示したように、移動放送サービスの加入者情報を管理する顧客管理装置１１０（Business Information System；ＢＩＳ）；上記加入者の視聴資格及び有料チャンネルに対する視聴等級と関連したＣＡＳメッセージを所定間隔をおいて発生し、上記ＣＡＳメッセージを放送網を通して受信端末機に伝送する受信制限装置１２０（ＣＡＳ）；及び、上記放送網を通して伝送される放送信号及びＣＡＳメッセージを受信した後、上記ＣＡＳメッセージを解析して視聴等級に該当する放送信号のみを画面に表示する受信端末機１３０；を含む。
【０００９】
ここで、上記受信端末機１３０は、加入者情報を保存し、ＣＡＳメッセージを受信して視聴等級を設定及び変更するスマートカード１３５を含む。
【００１０】
このように構成された従来技術による移動放送サービスの加入者管理システムについて説明すれば次の通りである。
【００１１】
まず、ＢＩＳ１１０は移動放送サービス加入者の情報（即ち、受信端末機情報、スマートカード情報及び加入者個人情報）の生成、変更、解約などのような管理を行いながら、上記加入者情報の生成、変更、解約などといった変動状況（event）が発生すると、ＣＡＳ１２０にその変動内訳とともに該当加入者受信端末機１３０のスマートカード１３５番号を伝送する。
【００１２】
ＣＡＳ１２０は、上記スマートカード１３５番号（serial number）とその変動内訳とが含まれたＣＡＳメッセージを生成し、放送網を通して全ての受信端末機１３０に送出（Broadcasting）する。即ち、上記ＣＡＳ１２０は、ＣＡＳメッセージを通して使用者の視聴資格、有料チャンネルに対する視聴等級などを管理する。この時、上記ＣＡＳメッセージは、受信端末機１３０使用者のチャンネル視聴資格及び有料チャンネルに対する視聴等級に関する情報と関連したメッセージ（即ち、Entitlement Management Message；ＥＭＭ）、及び有料チャンネルのスクランブルを解読できるキー情報と関連したメッセージ（即ち、Entitlement Control Message；ＥＣＭ）を含む。
【００１３】
従って、上記受信端末機１３０は、放送網から伝送されたＣＡＳメッセージを受信した後、上記ＥＣＭを解析（Parsing）し、内蔵されたスマートカード１３５のキー情報と一致した時にはじめて上記ＥＭＭを通して視聴資格及び有料チャンネルに対する視聴等級が管理される。
【００１４】
しかし、前述したように、上記ＣＡＳメッセージは約３０分ごとに全ての受信端末機に送出されるので、陰影地域に属する受信端末機が上記ＣＡＳメッセージを受信できない場合、変動した視聴資格及び有料チャンネルに対する視聴等級を適時に付与できないという問題点があった。
【００１５】
また、放送網は単方向性を有するので、上記放送網を通して受信端末機に伝送されたＣＡＳメッセージの受信有無について、移動放送サービス事業者側においては正確にわからないという問題点があった。
【発明の開示】
【発明が解決しようとする課題】
【００１６】
本発明は、上記のような問題点を解決するために案出されたものであり、本発明の目的は、帯域外チャンネル（Out of Band）を用いて移動放送サービス加入者を管理する移動放送サービス加入者管理システム及びその方法を提供することにある。
【課題を解決するための手段】
【００１７】
上記目的を達成するために、本発明の一実施例による移動放送サービス加入者管理システムは、帯域内チャンネル（In Band；ＩＢ）を通して放送信号を伝送し、帯域外チャンネル（Out Of Band；ＯＯＢ）を通してメッセージを送信した後、これをフィードバックすることで加入者管理を行う放送センター；及び、上記メッセージを解析し、その解析結果に伴う放送視聴資格及び放送視聴等級に基づき、上記帯域内チャンネルを通して伝送される放送信号を画面に表示する受信端末機；を含むことを特徴とする。
【００１８】
また、本発明の別の実施例による移動放送サービス加入者管理システムは、移動放送サービスの加入者情報を管理する顧客管理装置；上記加入者情報の変動に伴って上記移動放送の視聴資格及び視聴等級と関連したメッセージを発生する受信制限装置；上記メッセージを伝送する移動通信網を選択するＭＳ（Mobile Station）サーバー；上記メッセージを移動通信網を通して伝送可能なデータ形式に加工し、上記ＭＳサーバーにて選択された移動通信網を通して伝送する移動通信サーバー；及び、上記メッセージを解析し、その解析結果に伴う視聴資格及び視聴等級に基づき、放送網を通して伝送される放送信号を画面に表示する受信端末機；を含むことを特徴とする。
【００１９】
一方、本発明の一実施例による移動放送サービス加入者の管理方法は、（ａ）帯域外チャンネルを通して加入者情報の変動のためのメッセージを送出するステップ；及び、（ｂ）上記帯域外チャンネルを通してメッセージ送出に対する成功、失敗及び誤謬情報をフィードバックされるステップ；を含むことを特徴とする。
【００２０】
また、本発明の別の実施例による移動放送サービスシステムの加入者管理方法は、（ａ）顧客管理装置が、加入者情報の変動時に上記加入者情報の変動に該当するコマンドメッセージを受信制限装置に伝送するステップ；（ｂ）上記受信制限装置が、上記コマンドメッセージに基づき加入者変動メッセージを発生し、ＭＳ（Mobile Station）サーバーに伝送するステップ；（ｃ）上記ＭＳサーバーが、上記加入者変動メッセージを解析した後、上記加入者変動メッセージを該当移動通信事業者の移動通信サーバーに伝送するステップ；（ｄ）上記移動通信サーバーが、上記加入者変動メッセージを、上記選択された移動通信網を通して伝送可能なデータ形式に加工して受信端末機に伝送するステップ；及び、（ｅ）上記受信端末機が、上記加入者変動メッセージを解析（Parsing）し、上記加入者変動メッセージに含まれたスマートカード番号と上記受信端末機のスマートカード番号とが一致する時、該当加入者情報の変動に対応する動作を行った後、放送網を通して伝送される放送信号を受信し、画面に表示するステップ；を含むことを特徴とする。
【発明の効果】
【００２１】
本発明によれば、帯域外チャンネル（例えば、移動通信網）を用いて移動放送サービス加入者を管理することによって、上記加入者情報の変動が発生すると直ちに受信端末機に適用できるという効果がある。
【００２２】
また、本発明によれば、帯域外チャンネルを用いて移動放送サービス加入者を管理することによって、上記加入者情報の変更メッセージが受信端末機に正確に伝えられたかを確認することができ、信頼性あるサービスを加入者に提供できる効果がある。
【発明を実施するための最良の形態】
【００２３】
以下、添付図面及び望ましい実施例を参照しながら本発明を詳しく説明する。図面において、同一又は類似の構成要素については同一の参照番号を付した。
【００２４】
本発明で説明する帯域外チャンネルの種類は、移動通信網、ＩＰ基盤のパケット網など多様な形態があるが、移動放送とあいまって推進される移動通信サービスのための移動通信網に焦点をおき、本発明の望ましい実施例を説明する。
【００２５】
図２は、本発明の一実施例による移動放送サービス加入者管理システムを示す構成図である。
【００２６】
図２に示すように、移動放送サービスの加入者情報を管理する顧客管理装置２１０（Business Information System；ＢＩＳ）；上記加入者情報の変動に伴いＥＭＭ（Entitlement Management Message）を発生し、上記ＥＭＭを後述するＭＳサーバーに伝送する受信制限装置２２０（ＣＡＳ）；上記ＥＭＭを入力され、上記ＥＭＭに含まれた受信端末機番号に対応する移動通信事業者の移動通信サーバーに上記ＥＭＭを伝送するＭＳ（Mobile Station）サーバー２３０；上記ＭＳサーバー２３０から伝送されたＥＭＭを該当移動通信網を通して受信端末機に伝送する、少なくとも一つ以上の移動通信サーバー２４０；及び、上記移動通信網を通して伝送されるＥＭＭを受信後、上記ＥＭＭを解析し、放送網を通して伝送される放送信号を所定視聴等級によって画面にディスプレーする受信端末機２５０；を含み、上記受信端末機２５０は、加入者情報を保存し、ＥＭＭを受信して視聴等級を設定及び変更するスマートカード２５５を含む。
【００２７】
ここで、上記ＢＩＳ２１０、ＣＡＳ２２０及びＭＳサーバー２３０は放送センター（図示せず）内に備わる。
【００２８】
ＢＩＳ２１０は、移動放送サービス加入者の情報（即ち、受信端末機情報、スマートカード情報及び加入者個人情報）の生成、変更、解約などのような管理を行いながら、上記加入者情報の生成、変更、解約などといった変動状況（event）が発生すると、ＣＡＳ２２０にその変動内訳と共に該当加入者の受信端末機２５０のスマートカード番号及び受信端末機情報を伝送する。この時、上記受信端末機情報としては、受信端末機の電話番号（例えば、ＭＤＮ）が望ましい。
【００２９】
ＣＡＳ２２０は、上記スマートカード番号とその変動内訳とが含まれたＥＭＭを生成し、ＭＳサーバー２３０、移動通信サーバー２４０及び移動通信網を通して受信端末機２５０に伝送し、放送信号を放送網を通して受信端末機２５０に送出する。
【００３０】
即ち、上記ＣＡＳ２２０は、ＥＭＭを通して使用者の視聴資格、有料チャンネルに対する視聴等級などを管理し、上記ＥＭＭは、受信端末機２５０使用者のチャンネル視聴資格及び有料チャンネルに対する視聴等級に関する情報及びスマートカード番号を含む。従って、上記スマートカード番号と一致する受信端末機２５０においてのみ、視聴資格及び有料チャンネルに対する視聴等級と関連した情報が変更される。この時、上記ＣＡＳ２２０は、上記ＥＭＭに加入者認証可否に対する情報を含めて伝送したり、独立的に加入者認証可否及び加入者情報変更内容を含むメッセージのみで上記ＥＭＭを代替して伝送することができる。
【００３１】
ＭＳサーバー２３０は、上記ＣＡＳ２２０及び移動通信網の移動通信サーバー２４０間のメッセージ解析サーバーの役割を行い、各移動通信社別にセッションを区分して管理可能な情報を上記ＥＭＭに含めた後、上記移動通信サーバー２４０が受信することのできる形態のフォーマットに上記ＥＭＭを再度パッケージングし、各移動通信社の移動通信サーバー２４０に伝送する。
【００３２】
また、上記ＭＳサーバー２３０は、上記移動通信サーバー２４０で各受信端末機２５０へのＥＭＭ伝送に対する成功/失敗/誤謬情報のための別途の管理モジュール（図示せず）を含む。例えば、上記管理モジュールを用いて、上記受信端末機２５０に伝送したＳＭＳのCallback URLを通して上記ＥＭＭ伝送に対する成功/失敗/誤謬情報を上記受信端末機２５０からフィードバックされ、これをＣＡＳ２２０に伝送することで、ＣＡＳ２２０がＥＭＭを再伝送するか否かに対する決定の根拠とする。
【００３３】
移動通信サーバー２４０は、各移動通信社別に構築されているサーバーであり、ＥＭＭを移動通信網を通して伝送可能なデータ形式に加工（例えば、ＯＴＡ（Over The Air）、ＳＭＳ、データパケット）し、上記受信端末機２５０に伝送する。このような移動通信サーバー２４０の役割は、帯域外チャンネルの種類によって上記ＭＳサーバー２３０に含まれたり、中継サーバー（図示せず）によって提供されることもある。
【００３４】
受信端末機２５０は、移動放送専用端末機と、移動通信サービス機能を同時に行う兼用受信端末機とに分類される。本実施例に適用される受信端末機２５０は兼用受信端末機に限定される。そして、上記受信端末機２５０は、上記ＥＭＭを受信して解析（Parsing）した後、上記ＥＭＭに含まれたスマートカード番号と上記受信端末機２５０に内蔵されたスマートカード番号とが一致する時、視聴資格及び有料チャンネルに対する視聴等級を決定し、放送網を通して伝送される放送信号を受信して画面に表示する。
【００３５】
以下、本発明の一実施例による移動放送サービス加入者管理システムの動作を、添付図面を参考にして説明する。
【００３６】
ＢＩＳ２１０は、移動放送サービスの開通及びサービス商品の変更（以下、イベント発生）の度に、「ＳＯＲＯＯＢ」コマンドメッセージをＣＡＳ２２０に伝送することによって、移動通信サービスの可否に対する情報をＣＡＳ２２０と共有する。
【００３７】
これのためにＢＩＳ２１０は、イベント発生時に加入者情報照会を通して該当受信端末機２５０が移動電話兼用であるのかを判断する。上記判断の結果、兼用でなければ放送網を通して上記イベント発生事実を伝送しなければならないので、図３に示すような移動通信サービス未適用受信端末機用のコマンドメッセージをＣＡＳ２２０に伝送する。一方、兼用であれば、図３に示すような移動通信サービス適用受信端末機用のコマンドメッセージをＣＡＳ２２０に伝送する。この時の「ＳＯＲＯＯＢ」コマンドメッセージは、図４のような構造を有する。
【００３８】
即ち、「ＳＣ＃」はスマートカード２５５のシリアル番号を示し、「Device Type」は受信端末機２５０の移動通信サービス適用可否についての情報を含み、「Message_Destination_Data」は移動通信サービス事業者の区分情報と受信端末機２５０の電話番号（例えば、ＭＤＮ）とを含む。
【００３９】
そして、イベント発生時に、移動通信事業者側の加入者管理システムと上記ＢＩＳ２１０とのリアルタイムな加入者情報の連動が非常に難しいので、「ＳＯＲＯＯＢ」コマンドメッセージをまずＣＡＳ２２０に伝送した後、イベント発生メッセージを伝送することが望ましい。
【００４０】
ＣＡＳ２２０は、ＢＩＳ２１０から伝送されたコマンドメッセージに基づいてＥＭＭを発生し、ＭＳサーバー２３０に伝送する。この時、上記ＣＡＳ２２０からＭＳサーバー２３０に伝送されるＥＭＭは、図５に示すように定義される。このようなＥＭＭは、ＴＳフォーマットでなく、暗号化されたバイナリ（encrypted binary）状態であり、上記図５の図面符号５１０として示したように、少なくとも一つ以上のＥＭＭから構成される。
【００４１】
ＭＳサーバー２３０は、上記ＣＡＳ２２０から入力されたＥＭＭを解析した後、上記ＥＭＭを該当移動通信事業者の移動通信サーバー２４０に伝送する。そして、上記ＥＭＭが該当移動通信サーバー２４０に正しく伝送されるかを管理する。即ち、失敗した時に備えて再トライ過程を設定する。また、ＭＳサーバー２３０はＥＭＭの状態を監視し、その伝送履歴を監視し、二重化管理、統計管理の機能を含む。
【００４２】
移動通信サーバー２４０は、上記ＥＭＭメッセージを、移動通信網を通して伝送可能なデータ形式に加工（例えば、ＯＴＡ（Over The Air）、ＳＭＳ、データパケット）し、受信端末機２５０に伝送する。
【００４３】
受信端末機２５０は、上記ＥＭＭを受信して解析（Parsing）した後、上記ＥＭＭに含まれたスマートカード番号と上記受信端末機２５０に内蔵されたスマートカード番号とが一致する時、該当イベント発生に対応する動作を行い、放送網を通して伝送される放送信号を受信して画面に表示する。そして、上記受信端末機２５０は、上記ＥＭＭ受信に対する応答メッセージを、移動通信網を通して上記移動通信サーバー２４０に伝送することにより、移動放送サービス事業者は上記ＥＭＭが受信端末機２５０に正しく伝送されたかを確認することができる。
【００４４】
ここで、上記スマートカード２５５は移動放送モジュール（図示せず）を含み、上記移動放送モジュールがオフになっている場合には、移動放送モジュールをオンにしてＥＭＭを伝送した後、またオフにする。
【００４５】
上述したような方法で、放送網の代わりに移動通信網を通してイベント発生有無（即ち、加入者情報の発生、変更、解約などのような変動）を受信端末機に適時に正確に伝送できる。
【図面の簡単な説明】
【００４６】
【図１】従来技術による移動放送サービス加入者管理システムを示す構成図である。
【図２】本発明の一実施例による移動放送サービス加入者管理システムを示す構成図である。
【図３】本発明の一実施例によるコマンドメッセージを示す図である。
【図４】本発明の一実施例によるＳＯＲＯＯＢコマンドメッセージを詳しく示す図である。
【図５】本発明の一実施例によるＥＭＭを示す図である。
【符号の説明】
【００４７】
１１０  顧客管理装置、
１２０  受信制限装置、
１３０  加入者受信端末機、
１３５  スマートカード、
２１０  顧客管理装置、
２２０  受信制限装置、
２３０  サーバー、
２４０  移動通信サーバー、
２５０  受信端末機、
２５５  スマートカード
【図１】
2008517517.tif 000003
【図２】
2008517517.tif 000004
【図３】
2008517517.tif 000005
【図４】
2008517517.tif 000006
【図５】
2008517517.tif 000007
【国際調査報告】
2008517517.tif 000008
2008517517.tif 000009
2008517517.tif 000010